(57)【要約】【課題】着脱作業がし易く、臀部にフィットするヒップガードを提供する。【解決手段】上辺及び左右の側辺を有し、装着者の臀部を覆う本体２と、本体２の上辺を装着者の腰に巻き付ける腰ベルト３と、本体２の左右の側辺のそれぞれから腰ベルト３の前面部にかけて設けられ、少なくとも本体２の左右の側辺の下部をそれぞれ前方側へ引き込む支持部４，４と、を備えていることを特徴とするヒップガード。【選択図】図１
2019099927.tif 000002
【特許請求の範囲】
【請求項１】
上辺及び左右の側辺を有し、装着者の臀部を覆う本体と、該本体の上辺を装着者の腰に巻き付ける腰ベルトと、前記本体の左右の側辺のそれぞれから前記腰ベルトの前面部にかけて設けられ、少なくとも該本体の左右の側辺の下部をそれぞれ前方側へ引き込む支持部と、を備えていることを特徴とするヒップガード。
【請求項２】
前記本体が、装着者の臀部を後ろから見たときの臀部の正面に対向する正面部と、該正面部の左右端側に配置されて装着者の臀部の左右側面に対向する左右の側面部と、を備え、前記本体には、該左右の側面部の下部が前記正面部に対して前方側へ折れ曲がるように前記正面部と前記側面部とを接続する立体手段が設けられていることを特徴とする請求項１に記載のヒップガード。
【請求項３】
前記側面部は、その下部が着用者の臀部の側面のうちの大転子よりも下方の部分まで延設されており、前記支持部は、前記側面部の側辺の下部に接続されていることを特徴とする請求項２に記載のヒップガード。
【請求項４】
前記腰ベルトと前記正面部とを連結する第１部分が、硬い生地で構成され、前記腰ベルトと左右の前記側面部それぞれとを連結する第２部分が、柔らかい生地で構成されていることを特徴とする請求項２又は３に記載のヒップガード。
【請求項５】
前記支持部と左右の前記側面部とが縫着により接続されており、該支持部と左右の該側面部との縫着部が、左右の該側面部を前方側へ巻き込む立体形状に構成されていることを特徴とする請求項３又は４に記載のヒップガード。
【発明の詳細な説明】
【技術分野】
【０００１】
本発明は、例えば磯釣り等の釣行時に好適に用いられるヒップガードに関する。
【背景技術】
【０００２】
かかるヒップガードは、例えば磯釣り時に尖った岩に直接腰かけて休憩を取る場合に、衣類（釣り用のウェア等）が損傷してしまうことを保護する目的で装着している。このヒップガードとしては、腰及び臀部を保護するための臀部保護部分とその左右両側から張り出した腰両側方保護部分と前記臀部保護部分の下部の左右方向中央部に下方に延びる尾てい骨保護部分とを有するパッド本体と、臀部保護部分の上側縁に取り付けられて着用者の腰に巻くための腰バンドと、尾てい骨保護部分の下側縁に取り付けられ着用者の股の内側を通して太股に巻き付けて腰両側保護部分に係合固定する二本の太股バンドと、を備えている（例えば、特許文献１参照）。
【先行技術文献】
【特許文献】
【０００３】
【特許文献１】特開平９−２９９５４０号公報
【発明の概要】
【発明が解決しようとする課題】
【０００４】
上記特許文献１の構成によれば、ヒップガードを身体に装着するには、腰バンドを腰に巻き付けた後、臀部にパッド本体をフィットさせるべく、二本の太股バンドを着用者の股の内側を通して太股に巻き付けて腰両側保護部分に係合固定させなければならない。また、身体に装着したヒップガードを取り外す場合には、腰バンドを取り外した後、太股に巻き付け固定されている二本の太股バンドを係合解除したのち取り外さなければならない。したがって、ヒップガードを着脱する作業が非常に手間のかかる面倒な作業であった。
【０００５】
本発明は、前述の状況に鑑みてなされ、着脱作業がし易く、臀部にフィットするヒップガードを提供することにある。
【課題を解決するための手段】
【０００６】
本発明のヒップガードは、上辺及び左右の側辺を有し、装着者の臀部を覆う本体と、該本体の上辺を装着者の腰に巻き付ける腰ベルトと、前記本体の左右の側辺のそれぞれから前記腰ベルトの前面部にかけて設けられ、少なくとも該本体の左右の側辺の下部をそれぞれ前方側へ引き込む支持部と、を備えていることを特徴としている。
【０００７】
本発明によれば、本体を装着者の臀部に当てた状態で腰ベルトを腰に巻き付ける、又は巻き付けた腰ベルトを取り外すだけで、ヒップガードの着脱作業が完了する。しかも、前記腰ベルトで本体を腰に巻き付けると共に、支持部で少なくとも本体の左右の側辺の下部をそれぞれ前方側へ引き込むので、例えば、脚を太股の付け根から曲げて着座する場合や大股で歩行する場合などに、脚の動作にかかわらず、本体の上部が腰に巻き付けられると共に、下部が臀部から離間して後側上方へ捲れ上がらないように前方側へ引き込まれるので、常に臀部に本体をフィットした状態に維持できる。
【０００８】
また、本発明のヒップガードは、前記本体が、装着者の臀部を後ろから見たときの臀部の正面に対向する正面部と、該正面部の左右端側に配置されて装着者の臀部の左右側面に対向する左右の側面部と、を備え、前記本体には、該左右の側面部の下部が前記正面部に対して前方側へ折れ曲がるように前記正面部と前記側面部とを接続する立体手段が設けられていてもよい。
【０００９】
上記のように、左右の側面部の下部が正面部に対して前方側へ折れ曲がるように正面部と側面部とを接続する立体手段を備えているので、左右の側面部の下部が正面部に対して前方側へ折れ曲がり、本体の下部が立体形状になり、本体の下部を臀部に沿わせることができる。
【００１０】
また、本発明のヒップガードは、前記側面部が、その下部が着用者の臀部の側面のうちの大転子よりも下方の部分まで延設されており、前記支持部が、前記側面部の側辺の下部に接続されていてもよい。
【００１１】
上記のように、支持部が、側面部の側辺の下部に接続されることによって、支持部が、大転子（大腿骨の外側の突起した出っ張り部分、又は太ももの付け根の骨の部分）に被らないので、脚の動きによって本体が臀部に対してずれ難い。
【００１２】
また、本発明のヒップガードは、前記腰ベルトと前記正面部とを連結する第１部分が、硬い生地で構成され、前記腰ベルトと左右の前記側面部それぞれとを連結する第２部分が、柔らかい生地で構成されていてもよい。
【００１３】
上記のように、第１部分が、硬い生地で構成されることによって、ヒップガードの正面領域のコシを強くして本体が臀部に対してずれることを防止できる。また、左右の第２部分が、柔らかい生地で構成されることによって、第２部分が柔軟に変形することで脚の動きに追随することができ、本体が臀部に対してずれることを防止できる。
【００１４】
また、本発明のヒップガードは、前記支持部と左右の前記側面部とが縫着により接続されており、該支持部と左右の該側面部との縫着部が、左右の該側面部を前方側へ巻き込む立体形状に構成されていてもよい。
【００１５】
上記のように、支持部と左右の側面部との縫着部が、左右の側面部を前方側へ巻き込む立体形状に構成されることによって、左右の側面部を身体に巻き付けることができる。
【発明の効果】
【００１６】
本発明のように、本体の上辺を装着者の腰に巻き付ける腰ベルトと、本体の左右の側辺のそれぞれから腰ベルトの前面部にかけて設けられ、少なくとも本体の左右の側辺の下部をそれぞれ前方側へ引き込む支持部と、を備えることで、着脱作業がし易く、臀部にフィットするヒップガードを提供することができる。
【図面の簡単な説明】
【００１７】
【図１】本発明のヒップガードを展開した正面図である。
【図２】同ヒップガードを展開した背面図である。
【図３】腰ベルトを前方で係止固定した同ヒップガードの正面図である。
【図４】立体手段の構成を示す一部省略した同ヒップガードを展開した正面図である。
【図５】同ヒップガードを装着した状態の側面図である。
【図６】同ヒップガードを装着した状態の背面図である。
【図７】他の構成のヒップガードを装着した状態の正面図である。
【発明を実施するための形態】
【００１８】
以下、本発明の実施形態を図面に基づいて説明する。
【００１９】
図１〜図３に、本発明のヒップガード１を示している。このヒップガード１は、例えば磯釣りの際に使用され、釣り用のウェアの上から装着される。
【００２０】
具体的には、ヒップガード１は、装着者の臀部を覆う本体２と、本体２の上辺を装着者の腰に巻き付ける腰ベルト３と、本体２から腰ベルト３の前面部にかけて設けられ、本体２の左右の両側の下部をそれぞれ前方側へ引き込む支持部４と、を備えている。
【００２１】
本体２は、シート状で略台形状の外形を有し、装着者の臀部の正面、つまり装着者の臀部を後方から見たときの臀部の左右方向中央部分に対向する正面部５と、装着者の臀部を後方から見たときの正面部５の左右端側に配置されて臀部の左右側面に対向する左右の側面部６，７と、を備えている。正面部５は、後方から見た装着者の臀部の左右方向中央部分を覆う範囲であり、また、左右の側面部６，７は、その下部が後方から見た装着者の臀部の左右方向中央部分の左右端から大腿部の側面の前後方向略半分の部分を覆う範囲である。
【００２２】
また、本体２は、表生地２Ａと裏生地２Ｂの２枚の生地で構成されている。表生地２Ａは、防水性を有する耐摩耗性素材からなる非伸縮性の布生地から構成され、裏生地２Ｂは、通気性を有する非伸縮性のメッシュ部材から構成されている。本体２の左右中央部の下端を、中央側ほど上方に位置する円弧状の切欠き部２Ｋを形成して、歩行がし易いようになっている。
【００２３】
さらにまた、本体２には、左右の側面部６，７の上部及び下部が正面部５に対して前方側へ折れ曲がるように正面部５と側面部６，７とを接続する立体手段８が設けられている。この立体手段８は、正面部５と側面部６，７の左右の境界部それぞれの上下２箇所に設けられ、図４に示すように、二等辺三角形の頂角が例えば２０°（この角度は、折り曲げたい角度に応じて変更することになる）となる２つの斜辺を縫い合わせることで形成されるダーツから構成されている。これら４つのダーツは、下側ほど左右方向の外側に位置する斜め方向に沿った直線状に構成されている。このように、４つの立体手段８…により左右の側面部６，７の上部及び下部それぞれが正面部５に対して前方側へ折れ曲がるので、図３、図５及び図６に示すように、左右の側面部６，７の上部及び下部が先端部側ほど外広がりになることがなく、正面部５に対して前方側へ折れ曲がることで、本体２の上部及び下部が立体形状になり、本体２を臀部に沿わせることができる。
【００２４】
腰ベルト３は、周方向に長いシート状でかつ左右方向中央部が上方に円弧上に緩やかに突出する湾曲部に構成され、表生地３Ａと裏生地３Ｂとで構成されている。裏生地３Ｂのほとんどは、伸縮性を有する生地（例えばシャークスキン素材）で構成され、右側端部のみが雄型（又は雌型でもよい）の面ファスナー９で構成されている。また、表生地３Ａは、腰の左右中央部を覆う部分が伸縮しない硬い生地（例えば布材）で構成された中央部３ａと、前記雄型面ファスナー９に係脱自在な雌型（又は雄型でもよい）の面ファスナー１０を備えた左側端部３ｂと、伸縮性を有する生地で構成され中央部３ａの両側に位置する両側部分３ｃ，３ｄと、裏面に雄型面ファスナー９を備え伸縮しない硬い生地（例えば布材）で構成された右側端部３ｅと、を備えている。
【００２５】
雌型の面ファスナー１０の長さを雄型の面ファスナー９の長さよりも長くしている。例えば、雌型の面ファスナー１０の長さを雄型の面ファスナー９の長さの２倍以上の長さを有するように構成されており、装着者の体型に合わせて雌型の面ファスナー１０に対する雄型の面ファスナー９の係止位置を変更することができるようにしている。
【００２６】
腰ベルト３の中央部３ａと本体２の正面部５とを連結する第１部分１１が、伸縮性のない硬い生地で構成され、腰ベルト３の両側部分３ｃ，３ｄの中央部３ａ側寄りの部分と左右の側面部６，７それぞれとを連結する第２部分１２，１３が、伸縮性を有する柔らかい生地で構成されている。
【００２７】
第１部分１１は、前記中央部３ａと一体形成され、伸縮しない硬い生地（例えば布材）で構成されている。また、第２部分１２，１３は、通気性を有し、かつ、伸縮を有し、一方の第２部分１２から他方の第２部分１３まで亘る長さの１枚のメッシュ部材から構成されている。このメッシュ部材が第１部分１１の裏面も覆い、第１部分１１の左右両端部で縫い合わされてメッシュ部材に固定されている。
【００２８】
このように、第１部分１１が、硬い生地で構成されることによって、装着者を後方から見たときのヒップガード１の正面領域のコシを強くして本体２が臀部に対してずれることを防止できる。また、左右の第２部分１２，１３が、柔らかい生地で構成されることによって、第２部分１２，１３が柔軟に変形することで脚の動きに追随することができ、本体２が臀部に対してずれることを防止できる。なお、ここでは、第１部分１１を中央部３ａと一体形成したが、第１部分１１を中央部３ａと別体形成し、両者を縫着により一体化してもよい。また、第２部分１２，１３を１枚の部材から構成したが、別々の２枚の部材から構成してもよい。
【００２９】
左右の支持部４，４は、いずれも表生地４Ａと裏生地４Ｂとで構成され、前方に向かうほど上方に位置する前上がり傾斜姿勢に構成されている。また、右側の支持部４の一端部（下端部）が、右側の側面部７の右側辺の左右中央部の下部に縫着により接続され、右側の支持部４の他端部（上端部）が、腰ベルト３の右側部分３ｄの左右中央部の下部の内側に縫着により接続されている。また、左側の支持部４の一端部（下端部）が、左側の側面部６の左側辺の下部に縫着により接続され、左側の支持部４の他端部（上端部）が、腰ベルト３の左側部分３ｃの下部の内側に縫着により接続されている。このように右側の支持部４の他端部（上端部）を腰ベルト３の右側部分３ｄの左右中央部に接続し、かつ、左側の支持部４の他端部（上端部）を腰ベルト３の左側部分３ｃの左右中央部に接続することによって、脚を太股の付け根から曲げて着座する、又は大股で歩行する際に、脚の動きが左右の支持部４，４によって大きく阻止されることがなく、脚をスムーズに動かすことができる。
【００３０】
前記側面部６，７は、その下部が着用者の臀部の側面のうちの大転子１４，１４（図５に左側の大転子を示している）よりも下方の部分まで延設されており、前記のように支持部４，４が、側面部６，７の側辺の下部に接続されることによって、支持部４，４が、大転子（大腿骨の外側の突起した出っ張り部分、又は太ももの付け根の骨の部分）１４に被らないので、脚の動き（例えば、脚を太股の付け根から曲げて着座する、又は大股で歩行すること）によって、本体２が臀部に対してずれ難い。腰ベルト３と支持部４，４の上端との間それぞれに、柔軟性を有するメッシュ部材１５が介在されている。前記支持部４，４を設けているので、図５に示すように矢印で示す方向の力、つまり本体２の下部を前方斜め上方へ巻き上げる方向の力が作用することによって、装着者が例えば、脚を太股の付け根から曲げて着座する、又は大股で歩行する際に、本体２の上部が腰に巻き付けられると共に、本体２の下部が前方側へ引き込まれることで、本体２の下部が臀部から離間して本体２の下部と臀部との間に隙間が空いて本体２の下部が後側上方へ捲れ上がらないので、常に臀部に本体２をフィットした状態に維持できる。図５に示すＨは、着用者のヒップラインを示している。
【００３１】
表生地４Ａは、脚の動きに合わせて伸縮できる柔軟性を有する生地から構成され、裏生地４Ｂは、柔軟性を有するものの、表生地４Ａよりも伸縮性が小さいメッシュ部材から構成されている。このように、表生地４Ａと裏生地４Ｂとを伸縮性の異なる生地から構成することで、腰ベルト３から本体２への力の伝達を遮断することができるようにして、臀部に本体２をフィットした状態により一層維持できる利点がある。表生地４Ａと裏生地４Ｂの外側縁が縫着され、表生地４Ａと裏生地４Ｂの内側縁が縫着されず、開口部４Ｋが形成されており、開口部４Ｋを通して表生地４Ａと裏生地４Ｂとで形成される空間内に小物を入れることができるポケットを構成している。なお、各開口部４Ｋ付近に設けられた雄雌の面ファスナー１６によって、ポケットの開口部４Ｋを開閉できるようにしている。
【００３２】
また、支持部４，４と左右の側面部６，７とが縫着により接続されており、支持部４，４と左右の側面部６，７との縫着部１７，１７が、左右の側面部６，７を前方側へ巻き込む立体形状に構成されている。これら縫着部１７，１７には、前述したように、二等辺三角形の頂角が例えば１７°（この角度は、折り曲げたい角度に応じて変更することになる）となる２つの斜辺を縫い合わせることで形成されるダーツを備えている。このように、支持部４，４と左右の側面部６，７との縫着部１７，１７が、左右の側面部６，７を前方側へ巻き込む立体形状に構成されることによって、左右の側面部６，７を身体に巻き付けることができる。
【００３３】
上記のように構成されたヒップガード１を装着者に着脱するには、本体２を装着者の臀部に当てた状態で腰ベルト３を腰に巻き付けて面ファスナー９，１０を係止して固定する、又は巻き付けた腰ベルト３の面ファスナー９，１０の係止を解除して腰ベルト３を取り外すことになる。このように腰ベルト３を腰に着脱するだけで、ヒップガード１を装着者に迅速に着脱することができる。しかも、腰ベルト３で本体２を腰に巻き付けると共に、支持部４，４で少なくとも本体２の左右の側辺の下部をそれぞれ前方側へ引き込むので、例えば、脚を太股の付け根から曲げて着座する場合や大股で歩行する場合などに、脚の動作にかかわらず、本体２の上部が腰に巻き付けられると共に、本体２の下部が臀部から離間して後側上方へ捲れ上がらないように前方側へ引き込まれるので、常に臀部に本体をフィットした状態に維持できる。
【００３４】
本発明のヒップガードは、上記実施形態に限定されるものではない。例えば、上記実施形態では、立体手段８としてダーツを形成したが、ギャザー又はタックを形成して立体手段８を構成してもよい。また、立体手段８を、正面部５と側面部６，７の左右の境界部それぞれの上下２箇所の合計４箇所に設けが、下側２箇所のみに設けて実施してもよいし、上下の立体手段８，８を上下方向全域に亘る長さの１本の立体手段８を左右方向２箇所にそれぞれ設けて実施することもできる。
【００３５】
また、前記実施形態では、支持部４，４を、側面部６，７の側辺の下部に接続したが、側面部６，７の側辺の上下中央部に接続してもよい。また、図１及び図２に示すように、支持部４，４と本体２と腰ベルト３とで囲まれる隙間（空間）１８，１８を形成したが、これら隙間１８，１８を埋める部材を設けて実施することもできる。
【００３６】
また、前記実施形態では、左側の支持部４を腰ベルト３の左側に接続し、右側の支持部４を腰ベルト３の右側に接続したが、左右の支持部４，４を腰ベルト３の左右方向中央部に接続してもよいし、図６に示すように、左右の支持部４，４が交差するように、左側の支持部４を腰ベルト３の右側に接続し、右側の支持部４を腰ベルト３の左側に接続してもよい。
【００３７】
また、前記実施形態では、腰ベルト３に面ファスナー９，１０を備えたが、ホック、ボタン、バックル等を備えていてもよい。
【００３８】
また、前記実施形態では、支持部４，４を腰ベルト３に固定したが、面ファスナーやボタン等を用いて着脱自在に支持部４，４を腰ベルト３に接続することもできる。この場合、例えば装着者の腰ベルト３に対する支持部４，４の接続位置を変更してもよい。
【００３９】
本発明のヒップガード１は、磯釣り時に使用する他、船釣り時に椅子に腰掛ける際のクッション材として利用する、又はスノーボード等のスポーツを行う時に臀部を保護する目的で利用することができる。
【符号の説明】
【００４０】
１…ヒップガード、２…本体、２Ａ…表生地、２Ｂ…裏生地、２Ｋ…切欠き部、３…腰ベルト、３Ａ…表生地、３Ｂ…裏生地、３ａ…中央部、３ｂ…左側端部、３ｃ…左側部分、３ｄ…右側部分、３ｅ…右側端部、４…支持部、４Ａ…表生地、４Ｂ…裏生地、４Ｋ…開口部、５…正面部、６，７…側面部、８…立体手段、９，１０…面ファスナー、１１…第１部分、１２，１３…第２部分、１４…大転子、１５…メッシュ部材、１６…面ファスナー、１７…縫着部、１８…隙間、Ｈ…ヒップライン
【図１】
2019099927.tif 000003
【図２】
2019099927.tif 000004
【図３】
2019099927.tif 000005
【図４】
2019099927.tif 000006
【図５】
2019099927.tif 000007
【図６】
2019099927.tif 000008
【図７】
2019099927.tif 000009